(57)【特許請求の範囲】
【請求項１】
放送波によるデジタル放送サービスを受信して映像音声ストリームを出力する放送波受信手段と、
インターネットによるデジタル放送サービスを受信して映像音声ストリームを出力するインターネット通信手段と、
ユーザが所望の放送サービスを選択するためのユーザ選局手段と、
前記ユーザ選局手段により選択された放送サービスの選局番号を受信するユーザ選局情報受信手段と、
少なくとも前記放送波によるデジタル放送サービスのチャンネル番号と前記インターネットによるデジタル放送サービスのインターネット接続先情報を前記選局番号に対応づけて記録する選局テーブルと、
前記選局テーブルを参照して前記選局番号に基づいて前記放送波受信手段あるいは前記インターネット通信手段を制御する選局制御部と、
前記選局制御部により前記放送波受信手段の映像音声ストリーム出力と前記インターネット通信手段の映像音声ストリーム出力を選択するデータセレクタと、
前記データセレクタにより選択された映像音声ストリームを復号して映像信号と音声信号を出力する映像音声復号手段とを備え、
前記選局制御部は、ユーザから選局番号指示を受けたときに、前記選局番号に対応するインターネット接続先情報を前記インターネット通信手段に通知し、
前記選局制御部は、前記インターネット通信手段がｈｔｔｐリダイレクタを検出した際に前記選局テーブルのインターネット接続情報を前記ｈｔｔｐリダイレクタで指定された接続情報に更新し、
前記インターネット通信手段は、通信接続している複数のデジタル放送サービスのインターネット接続先から、通知されたインターネット接続先の映像音声ストリームを前記データセレクタに出力することを特徴とする放送受信装置。
【請求項２】
放送波によるデジタル放送サービスを受信して映像音声ストリームを出力する放送波受信手段と、
インターネットによるデジタル放送サービスを受信して映像音声ストリームを出力するインターネット通信手段と、
ユーザが所望の放送サービスを選択するためのユーザ選局手段と、
前記ユーザ選局手段により選択された放送サービスの選局番号を受信するユーザ選局情報受信手段と、
少なくとも前記放送波によるデジタル放送サービスのチャンネル番号と前記インターネットによるデジタル放送サービスのインターネット接続先情報を前記選局番号に対応づけて記録する選局テーブルと、
前記選局テーブルを参照して前記選局番号に基づいて前記放送波受信手段あるいは前記インターネット通信手段を制御する選局制御部と、
前記選局制御部により前記放送波受信手段の映像音声ストリーム出力と前記インターネット通信手段の映像音声ストリーム出力を選択するデータセレクタと、
前記データセレクタにより選択された映像音声ストリームを復号して映像信号と音声信号を出力する映像音声復号手段と、を備え、
前記選局制御部は、前記インターネット通信手段がｈｔｔｐリダイレクタを検出した際に前記選局テーブルのインターネット接続情報を前記ｈｔｔｐリダイレクタで指定された接続情報に更新し、
前記映像音声復号手段は、前記データセレクタにより選択された映像音声ストリームが暗号化されている場合は暗号解除し復号して映像信号と音声信号を出力し、暗号化されていない場合は復号して映像信号と音声信号を出力する映像音声復号手段とを備えたことを特徴とする放送受信装置。
【請求項３】
請求項１または２に記載の放送受信装置において、
前記選局テーブルは、同一の放送サービスを提供するチャンネル番号とインターネット接続先情報を、同一の選局番号に対応付けて記録することを特徴とする放送受信装置。
【請求項４】
請求項１または２に記載の放送受信装置において、
前記選局テーブルは、放送波あるいはインターネットから供給される放送サービスごとに異なる選局番号を対応づけて記憶するとともに、それぞれの放送サービスごとに当該放送サービスと同一の放送サービスを提供する選局番号を記録する共通サービス参照情報の記録領域をもつことを特徴とする放送受信装置。
【請求項５】
請求項３または４に記載の放送受信装置において、
前記選局制御部は、ユーザの選局番号の指定により、前記選局テーブルから同一の放送サービスを提供する放送波とインターネットのチャンネル番号とインターネット接続先情報を取得し、前記放送波受信手段と前記インターネット通信手段と前記データセレクタを制御していずれか一方の放送サービスの映像信号と音声信号を出力することを特徴とする放送受信装置。
【請求項６】
請求項５に記載の放送受信装置において、
さらに、放送波あるいはインターネットにより提供される放送サービスの受信状態の監視手段を備え、
前記選局制御部は、前記選局テーブルに設定された同一の放送サービスを提供する放送波とインターネットのうち、受信状態の良好な方を選択することを特徴とする放送受信装置。
【請求項７】
請求項６に記載の放送受信装置において、
前記受信状態の監視手段は、前記放送波受信手段が検出した放送波のＢＥＲ（Ｂｉｔ  Ｅｒｒｏｒ  Ｒａｔｅ）と前記インターネット通信手段が検出したパケットエラーレートから受信状態情報を求めて、前記選局制御部に通知することを特徴とする放送受信装置。
【請求項８】
請求項６に記載の放送受信装置において、さらに、
前記放送波受信手段が検出した放送波のＢＥＲ（Ｂｉｔ  Ｅｒｒｏｒ  Ｒａｔｅ）と前記インターネット通信手段が検出したパケットエラーレートから受信状態情報を求める監視手段と、
前記受信状態情報をユーザに通知する受信状態通知手段とを備えたことを特徴とする放送受信装置。
【請求項９】
請求項１または２に記載の放送受信装置において、
前記選局制御部は、ユーザの選局番号指示の前に、前記選局テーブルを参照して登録されている複数のデジタル放送サービスのインターネット接続先情報を取得して、前記インターネット通信手段に前記インターネット接続情報に指定された接続先との通信接続を指示することを特徴とする放送受信装置。
【請求項１０】
請求項９に記載の放送受信装置において、
前記選局制御部は、ユーザから選局番号指示を受けたときに、前記選局番号に対応するインターネット接続先情報を前記データセレクタに通知し、
前記インターネット通信手段は、通信接続している複数のデジタル放送サービスのインターネット接続先から映像音声ストリームを取得して前記データセレクタに出力し、
前記データセレクタは、前記複数の映像音声ストリームのうち前記選局制御部から通知されたインターネット接続先の映像音声ストリームを前記映像音声復号手段に出力することを特徴とする放送受信装置。
【請求項１１】
請求項１または２に記載の放送受信装置において、さらに、
受信している放送サービスが放送波による放送サービスであるかインターネットによる放送サービスであるかをユーザに通知する選局先通知手段を備えたことを特徴とする放送受信装置。
【発明の詳細な説明】
【技術分野】
【０００１】
本発明は、テレビ放送波やインターネットを経由してテレビ放送サービスを受信する放送受信装置に係り、リモコン等の選局手段による番組選択を容易にする技術に関する。
【背景技術】
【０００２】
従来の放送波を受信して放送サービス映像や音声を出力する放送受信装置では、複数の放送サービスの選択を、リモコンや受信機本体の数字ボタンの押下あるいはチャンネルアップダウンによりおこなっていた。より詳しくは、リモコン等の受信チャンネル番号と周波数チャンネルを対応付けて受信機内部の選局テーブルに記録し、ボタン操作により指定される受信チャンネル番号から前記選局テーブルを参照して周波数チャンネルを特定し、放送波の選局を行っていた。
【０００３】
近年、前記放送受信装置をインターネットに接続してＷｅｂページや電子メールの受信情報を表示する放送受信装置が製品化されている。これらの放送受信装置では、リモコンや受信機本体の専用ボタンの押下により、Ｗｅｂページや電子メールの受信情報を表示するモードに変更するようにしている。このため、放送波の受信時とインターネット接続時で異なる操作をおこなうことになり、使い勝手よくなかった。
【０００４】
このため、特許文献１では、リモコンの数字ボタンにインターネット接続時のサービスを登録して、操作性を共通化する技術が考案されている。より詳しくは、特許文献１には、リモコン等の選局用チャンネル番号に周波数チャンネル番号等の番組選択情報を対応付けて記憶するとともに、目的とする処理プログラムを実行するためのプログラム関連情報と選局用チャンネル番号を対応付けて記憶することが開示されている。
【０００５】
これにより、リモコンのチャンネル番号ボタンの押下により、登録された処理プログラムが実行可能となる。特に、プログラム関連情報にＷｅｂプログラムとＵＲＬを登録した場合には、リモコンのチャンネル番号ボタンの押下により、特定のＷｅｂページを表示することができる。
【０００６】
【特許文献１】特開２００２−４４５３６号公報
【発明の開示】
【発明が解決しようとする課題】
【０００７】
近年、Ｗｅｂページや電子メール等の通信サービスに加えて、インターネットによる放送サービスの提供が検討されている。このインターネットによる放送サービスでは、放送受信装置をテレビ放送サービス提供者のポータルサイトに接続し、ポータルサイトのＷｅｂページに記録されたリンク情報を選択することにより選局を行い、選択された映像ファイルをストリーミング再生している。
【０００８】
ユーザの操作性を考慮すれば、インターネットによる放送サービスと従来の放送波による放送サービスの操作性を同じにすることが望ましい。前記の特許文献１に記載された技術によれば、プログラム関連情報にＷｅｂプログラムと前記ポータルサイトのＵＲＬを記録することによって、リモコン操作によるポータルサイトへの接続が可能となる。
【０００９】
しかし、ポータルサイトで提供される放送映像の選択はおこなわれないので、リモコンの操作により放送映像を順次表示して視聴番組を選択するザッピングと呼ばれる操作を、インターネット放送サービスを含めておこなうことはできない。
【００１０】
また、選局時にプログラムの起動を伴い、インターネットの再接続も発生するので、選局が遅いといった問題もある。
【００１１】
本発明の目的は、放送波とインターネットの伝送路の違いを意識することなく放送サービスにより提供される映像を選択でき、使い勝手のよい放送受信装置を提供することにある。
【課題を解決するための手段】
【００１２】
上記課題を解決するために、本発明の放送受信装置は、放送波によるデジタル放送サービスを受信して映像音声ストリームを出力する放送波受信手段と、インターネットによるデジタル放送サービスを受信して映像音声ストリームを出力するインターネット通信手段と、ユーザが所望の放送サービスを選択するためのユーザ選局手段と、前記ユーザ選局手段により選択された放送サービスの選局番号を受信するユーザ選局情報受信手段と、少なくとも前記放送波によるデジタル放送サービスのチャンネル番号と前記インターネットによるデジタル放送サービスのインターネット接続先情報を前記選局番号に対応づけて記録する選局テーブルと、前記選局テーブルを参照して前記選局番号に基づいて前記放送波受信手段あるいは前記インターネット通信手段を制御する選局制御部と、前記選局制御部により前記放送波受信手段の映像音声ストリーム出力と前記インターネット通信手段の映像音声ストリーム出力を選択するデータセレクタと、前記データセレクタにより選択された映像音声ストリームを復号して映像信号と音声信号を出力する映像音声復号手段とを備える構成とした。
【００１３】
ここで、前記選局テーブルは、同一の放送サービスを提供するチャンネル番号とインターネット接続先情報を、同一の選局番号に対応付けて記録するようにし、ユーザの選局番号の選択により、前記選局テーブルに記録された対応する放送波のチャンネル番号とインターネット接続先情報からいずれか一方の放送サービスを受信できるようにした。
【００１４】
さらに、放送波とインターネットの受信状態を監視し、ユーザが選局番号を選択したときに、前記選局テーブルを参照して同一の放送サービスを提供しているチャンネル番号とインターネット接続先情報を取得し、いずれか受信状態の良好な方を検出して放送サービスを受信する。
【発明の効果】
【００１５】
本発明によれば、放送波とインターネットの伝送方法の違いを意識することなくリモコンの数字番号やチャンネルアップダウンで選局することができ、ユーザの使い勝手を向上することが可能である。
【発明を実施するための最良の形態】
【００１６】
以下、本発明の実施の形態を図面を用いて詳細に説明する。
【実施例１】
【００１７】
図１は、本発明の実施形態１による放送受信機の構成を示す構成図である。
図１において、放送受信機１００は、指定された放送チャンネルを選局して放送波を受信し、圧縮されたMPEG2-TSを出力する放送波受信手段１０１と、インターネットに接続して放送サービスの提供サイトと通信を確立し、放送サービスの映像・音声ストリームを受信するインターネット通信手段１０２と、により放送サービスの映像・音声を受信する。
【００１８】
セレクタ１０３は、前記放送波受信手段１０１と前記インターネット通信手段１０２から出力された映像・音声ストリームのいずれかを選択して、圧縮された映像・音声データを復号する映像・音声復号手段１０４にストリームを供給する。映像・音声復号手段１０４は、所定の復号をおこない映像出力と音声出力をおこなう。
【００１９】
ユーザ選局手段１０５は、前記放送受信機１００本体やリモコンなどに備え付けられたチャンネル番号ボタンやチャンネルアップダウンボタンなどの手段であり、選局番号や選局情報としてユーザの操作指示が入力される。前記ユーザ選局手段１０５から入力されたユーザ操作情報は、ユーザ選局情報受信手段１０６に入力され、つぎに詳細に説明する選局制御部１０８の制御情報となる。
【００２０】
前記選局制御部１０８は、前記ユーザ選局情報受信手段１０６から入力される選局情報または選局番号に従い、詳細を後述する選局テーブル１０７から放送波チューニング情報またはインターネット接続先情報を読出して、前記放送波受信手段１０１とインターネット通信手段１０２とセレクタ１０３を制御する。
【００２１】
ここで、選局番号が放送波によるサービスの場合には、放送波チューニング情報を取得し、前記放送波受信手段１０１を制御して選局し、前記セレクタ１０３が前記放送波受信手段１０１からの入力を選択するように制御する。また、選局番号がインターネットによるサービスの場合には、インターネット接続先情報を取得し、前記インターネット通信手段１０２を制御して通信を確立し、前記セレクタ１０３がインターネット通信手段１０２からの入力を選択するように制御する。
【００２２】
前記インターネット通信手段１０２は、同時に放送サービスを提供する複数のサイトと通信を行うことが可能である。また、前記映像・音声複合手段１０４は映像、音声の圧縮方式ごとに複数用意してもよい。また、前記映像、音声複合手段１０４は圧縮され暗号化された映像、音声データの暗号解除の機能を持ってもよい。
【００２３】
次に前記選局テーブル１０７について、図２により詳細に説明する。
選局テーブル107には、連続した数字である選局番号２０１ごとに、地上デジタルテレビ、ＢＳデジタルテレビ、インターネット等のテレビ放送の種別を示すサービス種別２０２と、チャンネル名を示すサービス名称２０３と、地上デジタルテレビの３桁番号などを示すチャンネル２０４と、放送波の物理チャンネルを示す周波数チャンネル２０５と、
ネットワーク識別を示すｎｗ＿ｉｄ２０６、トランスポートストリーム識別を示すｔｓ＿ｉｄ２０７、サービス識別を示すｓｅｒｖｉｃｅ＿ｉｄ２０８、ブロードキャスト識別を示すｂｒｏａｄｃａｓｔ＿ｉｄ２０９と、インターネットによるテレビ放送の接続先を示すＵＲＬ２１０が記録されている。
【００２４】
ここで、ネットワーク識別を示すｎｗ＿ｉｄ２０６とトランスポートストリーム識別を示すｔｓ＿ｉｄ２０７とサービス識別を示すｓｅｒｖｉｃｅ＿ｉｄ２０８とブロードキャスト識別を示すｂｒｏａｄｃａｓｔ＿ｉｄ２０９は、圧縮され多重化された映像・音声によるデジタルテレビ放送を選局するために、例えば、地上デジタル放送（電波産業会  地上デジタル放送運用規定  ＴＲ−Ｂ１４）に規定されている。
【００２５】
次に、本実施例の放送受信装置の選局時動作を、図１と図２により説明する。
まず、放送波によるテレビ放送サービスの選局動作について説明する。ユーザが前記ユーザ選局手段１０５（例えば、リモコン）のチャンネルボタン「１」を押下すると、チャンネルボタン「１」の押下情報が、ユーザ選局情報受信手段１０６に通知される。前記ユーザ選局情報受信手段１０６は、前記ユーザ選局手段１０５から選局番号が１であるテレビ放送サービスが選択されたことを前記選局制御部１０８に伝える。
【００２６】
前記選局制御部１０８は、前記選局テーブル１０７を参照して、選局番号２０１が１のテーブル情報を取得する。図２の例では、前記サービス種別２０２が地上デジタルテレビ、前記周波数チャンネル２０５がＵＨＦ２７、前記ｎｗ＿ｉｄ２０６が０ｘ７ＦＦ０、前記ｔｓ＿ｉｄ２０７が０ｘ７ＦＦ０、前記ｓｅｒｖｉｃｅ＿ｉｄ２０８が０ｘ０５００、前記ｂｒｏａｄｃａｓｔ＿ｉｄ２０９が０ｘ７ＦＦ０、前記ＵＲＬ２１０は無いことを読出す。
【００２７】
前記選局制御部１０８は、選局テーブル１０７のサービス種別２０２と周波数チャンネル２０５から、前記放送波選局手段１０１を所望のチャンネルを選局するように制御し、前記セレクタ１０３が前記放送波受信手段１０１から入力されるデータを選択するように制御する。前記映像・音声復号手段１０４は、前記セレクタ１０３から入力される放送波により受信した映像・音声ストリームを復号し、映像出力と音声出力をおこなう。
【００２８】
つぎに、インターネットによるテレビ放送サービスの選局動作について説明する。ユーザが前記ユーザ選局手段１０５（例えば、リモコン）の数字ボタン「２」を押下すると、チャンネルボタン「２」の押下情報が、ユーザ選局情報受信手段１０６に通知される。前記ユーザ選局情報受信手段１０６は、前記ユーザ選局手段１０５から選局番号が２であるテレビ放送サービスが選択されたことを前記選局制御部１０８に伝える。
【００２９】
前記選局制御部１０８は、前記選局テーブル１０７を参照して、選局番号２０１が２のテーブル情報を取得する。図２の例では、前記サービス種別２０２はインターネットテレビ、インターネットによるテレビ放送の接続先を示すＵＲＬ２１０はｈｔｔｐ：／／ｗｗｗ．ｔｏｋｙｏ−ｃｙｕｏ．ｃｏｍであることを読出す。ここで、前記周波数チャンネル２０５、前記ｎｗ＿ｉｄ２０６、前記ｔｓ＿ｉｄ２０７、前記ｓｅｒｖｉｃｅ＿ｉｄ２０８、および前記ｂｒｏａｄｃａｓｔ＿ｉｄ２０９は、無記入となっている。
【００３０】
前記選局制御部１０８は、サービス種別２０２とＵＲＬ２１０から、前記インターネット通信手段１０２が所望の放送サービスサイトと通信を確立するように制御し、前記セレクタ１０３が前記インターネット通信手段１０２から入力されるストリームを選択するように制御する。前記映像・音声復号手段１０４は、前記セレクタ１０３から入力されるインターネットにより受信した映像・音声データを復号し、映像出力と音声出力をおこなう。
【００３１】
上記の説明ではユーザ選局手段105（リモコン）の数字ボタンを押下する場合について説明したが、ユーザ選局手段105（リモコン）のチャンネルアップダウンボタンによる動作について説明する。前記ユーザ選局手段１０５でチャンネルアップボタンの押下、またはチャンネルダウンボタンの押下がおこなわれると、チャンネルアップボタンあるいはチャンネルダウンボタンの押下情報が、ユーザ選局情報受信手段１０６に通知される。前記ユーザ選局情報受信手段１０６は、前記ユーザ選局手段１０５からチャンネルアップ、またはダウンが選択されたことを前記選局制御部１０８に伝える。
【００３２】
前記選局制御部１０８は、前記選局テーブル１０７の前記選局番号２０１において、現在選局している前記選局番号２０１を記憶しておく。ユーザ選局情報受信手段１０６からチャンネルアップが指定されると、記憶した前記選局番号２０１の値に１を加え、選局テーブル107の対応する選局番号201のテーブル情報を読み出す。
ユーザ選局情報受信手段１０６からチャンネルダウンが指定されと、記憶した前記選局番号201の値から１を減じ、選局テーブル107の対応する選局番号201のテーブル情報を読み出す。
【００３３】
ここで、記憶した前記選局番号の値が全ての選局番号の中で最大値のときは、チャンネルアップを指定すると１を加えず、選局番号を「１」に設定して前記選局番号２０１の１のテーブルを読み出す。記憶した前記選局番号の値が１のときにチャンネルダウンを指定された場合には、選局番号を前記選局番号２０１の最大値に設定して、選局番号が最大のテーブルを読み出す。これによりチャンネルアップダウンで全ての前記選局番号２０１を指定することが可能である。なお、チャンネルアップダウンの動作については、前記サービス種別２０２が同一のものを順に選択していく、といった手法もある。
【００３４】
本実施例によれば、放送波とインターネットの伝送路の種別の違いを意識することなくリモコンの数字番号やチャンネルアップダウンで放送サービスを選択することができ、ユーザの使い勝手を向上することが可能である。
【実施例２】
【００３５】
図３は、本発明の実施形態２による放送受信機の構成を示す構成図である。
先に説明した実施形態１と異なる箇所のみ説明する。図３の選局先通知手段１０９は、前記映像・音声復号手段１０４から出力される映像・音声の伝送方法が放送波によるものか、インターネットによるものかを、画面上にＯＳＤ（Ｏｎ  Ｓｃｒｅｅｎ  Ｄｉｓｐｌａｙ）として表示したり、本体ＬＥＤを点灯させる等を行い通知する手段である。
【００３６】
次に動作について説明する。前記選局制御部１０８は、前記ユーザ選局手段１０５から伝えられた情報に基づき前記選局テーブル１０７を参照し、前記放送波受信手段１０１または前記インターネット通信手段１０２を制御した後に前記セレクタ１０３を制御し、どちらの伝送方法のデータを用いるか制御する。このときに、前記選局制御部１０８は、放送波かインターネットのどちらを使用しているかを前記選局先通知手段１０９に伝える。前記選局先通知手段１０９は伝えられた情報に従い、ユーザに対し伝送路種別を通知する。
【００３７】
本発明によれば、ユーザは、放送波とインターネットのどちらの伝送方法を選択しているかを知ることができ、ユーザの使い勝手を向上することが可能である。
【実施例３】
【００３８】
図４は、本発明の実施形態３による放送受信機の構成を示す構成図である。
先に説明した実施形態２と異なる箇所のみ説明する。図４の放送波受信手段１０１は、一定時間内におけるデータエラーレート、例えば放送波における受信状態を示すＢＥＲ（Ｂｉｔ  Ｅｒｒｏｒ  Ｒａｔｅ）を検出する機能を持つ。同様に前記インターネット通信手段１０２も一定時間内におけるデータエラーレート、例えば通信におけるパケットエラーレートを検出する機能を持つ。受信状態監視部１１０は、前記放送波受信手段１０１と前記インターネット通信手段１０２から、エラーレート等の受信状態の情報を取得し、伝送路の受信状態を選局制御部１０８に通知する。前記選局制御部１０８は、前記伝送路の受信状態の情報と選局テーブル１０７を参照して、放送サービスの映像・音声出力の制御をおこなう。
【００３９】
次に実施形態３の選局テーブル１０７の構成について、図５を用いて説明する。
前記選局番号２０１が２である放送サービスは、放送波による地上デジタルテレビサービスとインターネットによるインターネットテレビサービスとで、同一のコンテンツ内容のサービスを行っている場合を想定している。図５ではサービス種別にインターネットテレビと地上デジタルテレビの双方の情報を持ち、前記周波数チャンネル２０５などの放送波選局のための情報と前記ＵＲＬ２１０の双方の情報を持つ。
【００４０】
つぎに動作について詳細に説明する。ユーザが前記ユーザ選局手段１０５（例えば、リモコン）のチャンネルボタン「２」を押下すると、チャンネルボタン「２」の押下情報が、ユーザ選局情報受信手段１０６に通知される。前記ユーザ選局情報受信手段１０６は、前記ユーザ選局手段１０５から選局番号が２であるテレビ放送サービスが選択されたことを前記選局制御部１０８に伝える。
【００４１】
選局制御部１０８は、前記選局テーブル１０７を参照し、選局番号２０１が２のテーブルから、サービス種別２０２が地上デジタルテレビとインターネットテレビの２つの選局方法があることを検知する。
【００４２】
前記サービス種別２０２が地上デジタルテレビの場合には、前記周波数チャンネル２０５がＵＨＦ２７、前記ｎｗ＿ｉｄ２０６が０ｘ７ＦＦ０、前記ｔｓ＿ｉｄ２０７が０ｘ７ＦＦ０、前記ｓｅｒｖｉｃｅ＿ｉｄ２０８が０ｘ０５００、前記ｂｒｏａｄｃａｓｔ＿ｉｄ２０９が０ｘ７ＦＦ０、前記ＵＲＬ２１０は無いことを読出し、前記放送波選局手段１０１が所望のチャンネルを選局するように制御する。
【００４３】
前記サービス種別２０２がインターネットテレビの場合には、ＵＲＬ２１０はｈｔｔｐ：／／ｗｗｗ．ｔｏｋｙｏ−ｃｙｕｏ．ｃｏｍであることを読出し、前記インターネット通信手段１０２が所望の放送サービスサイトと通信を確立するように制御する。
【００４４】
受信状態監視部１１０は、前記放送波受信手段１０１と前記インターネット通信手段１０２から、受信状態をエラーレート等の数値化した情報を取得し、前記選局制御部１０８に通知する。
【００４５】
前記選局制御部１０８は、前記受信状態監視部１１０から通知される放送波とインターネットの受信状態を正規化し比較し、例えばエラーレートの低い等の受信状態の良好な伝送方法を選択し、前記セレクタ１０３を制御する。
【００４６】
前記映像、音声復号手段１０４は、前記セレクタ１０３から入力される圧縮された映像、音声データを復号し、映像、音声を出力することにより選局動作が完了する。
【００４７】
図５に説明した例では、選局テーブル１０７を、ひとつの選局番号２０１に対し、複数のサービス種別を記録するとともに、放送波によるテレビサービスの選局情報とインターネットによるテレビサービスの接続情報を双方とも記録するように構成した。しかし、選局テーブル１０７の構成はこれに限らず、図６の構成としてもよい。
【００４８】
図６に示す選局テーブル１０７では、ひとつの前記選局番号２０１に対して、共通サービス参照情報２１１を設けている。そして、放送波による地上デジタルテレビサービスとインターネットによるインターネットテレビサービスとで、同一のコンテンツ内容のサービスを行っている場合には、それぞれのサービスを異なる選局番号２０１に登録する。共通サービス参照情報２１１には、同一のコンテンツ内容のサービスが登録された他の選局番号を記録する。
【００４９】
上記のように選局テーブル１０７を構成し、選局制御部１０８は、選局時に前記共通サービス参照情報２１１に参照先の前記選局番号が記録されていれば、該選局番号の選局情報も読出すことにより、放送波、インターネットの双方を選局するようにする。そして、前記受信状態監視部１１０から通知される放送波とインターネットの受信状態を正規化し比較し、例えばエラーレートの低い等の受信状態の良好な伝送方法を選択し、前記セレクタ１０３を制御する。
【００５０】
なお、本実施例では放送波によるテレビサービスとインターネットによるテレビサービスで同一のサービスを行っている場合を想定しており、同一のサービスであるということの検出手段については例えば、ユーザ自信が設定する場合や地上デジタル放送（電波産業会  デジタル放送に使用する番組配列情報  ＳＴＤ−Ｂ１０）に規定されているＳＩ（ＳｅｒｖｉｃｅＩｎｆｏｒｍａｔｉｏｎ）、ＰＳＩ（ＰｒｏｇｒａｍＳｐｅｃｉｆｉｃＩｎｆｏｒｍａｔｉｏｎ）を拡張することにより、放送受信機が自動的に検出し選局テーブルに共通情報が記録されることを仮定している。
【００５１】
本発明によれば、放送波とインターネットの受信状態の良いほうを選択することにより、常に良好な方の伝送方法を選択することが可能である。
【実施例４】
【００５２】
図７は、本発明の実施形態４による放送受信機の構成を示す構成図である。実施形態３と異なる箇所のみ以下に説明する。
【００５３】
図７の受信状態監視部１１０は、放送波受信手段１０１とインターネット通信手段１０２から、受信状態を数値化した情報を取得し、受信状態通知手段１１１に通知する。さらに、前記受信状態通知手段１１１は、前記受信状態監視部１１０から通知される放送波、インターネットの受信状態を正規化し、例えば数値情報として画面上にＯＳＤ（Ｏｎ  Ｓｃｒｅｅｎ  Ｄｉｓｐｌａｙ）として表示したり、本体ＬＥＤを点灯させる等を行い通知するようにする。
【００５４】
本実施例において、前記選局制御部１０８は、実施例３とは異なり、前記受信状態監視部１１０から通知される受信状態に従い自動的に伝送方法を切り換えず、ユーザによる切換を待ってもよい。
【００５５】
本発明によれば、ユーザに放送波とインターネットの受信状態を通知することにより、ユーザは良好な方の伝送方法を選択することが可能である。
【実施例５】
【００５６】
上記の実施形態では、ユーザの選局番号の操作指示により、選局制御部１０８が選局テーブル１０７を参照して、インターネット通信手段１０２を制御する実施例を説明した。本実施例の選局制御部１０８は、前記選局テーブル１０７から全てのインターネットテレビサービスに対応した選局番号を読み出す。詳しくは、図２において、インターネットテレビサービスに対応した前記選局番号２０１は２、３１、３２であり、前記選局制御部１０８は、各々のインターネット接続先であるＵＲＬ２１０に対し、通信接続を確立するように前記インターネット通信手段１０２を制御する。
【００５７】
ユーザの選局操作指示がおこなわれた時には、選局制御部１０８は、先に説明したのと同様にインターネット接続先情報を取得してインターネット通信手段１０２に通知する。インターネット通信手段１０２は、既に通信接続が確立して受信しているストリームの中の対応するインターネット接続先情報のストリームをセレクタ１０３に入力する。
【００５８】
また、インターネット通信手段１０２は、設定された複数のインターネット接続先からストリームを取得し、取得したストリームをセレクタ１０３に入力するようにしてもよい。この場合には、セレクタ１０３が、ユーザの選局操作指示がおこなわれた時に前記選局制御部１０８からの指示により選択された選局番号に対応するストリームを映像・音声復号手段104に供給する。
【００５９】
本実施例によれば、ユーザが選局する前に自動的にインターネット接続を行い接続を確立することにより、その後の選局を高速にすることが可能である。
【実施例６】
【００６０】
上記の実施例では、選局テーブル107に記載されたインターネット接続先であるＵＲＬ２１０の基づいて映像・音声のストリームデータを取得する例を説明した。つぎに、インターネット接続先が変更される場合の選局テーブル107の更新方法について説明する。
【００６１】
この実施形態の構成は実施形態１と同じであり、実施形態１と異なる箇所のみ説明する。前記インターネット通信手段１０２は、例えばＩＥＴＦ（Ｉｎｔｅｒｎｅｔ Ｅｎｇｉｎｅｅｒｉｎｇ Ｔａｓｋ Ｆｏｒｃｅ）発行ＲＦＣ２３２６に記載のＨＴＴＰリダイレクトコードなどの接続先の変更を検知した場合、接続先の変更が一時的なものか恒久的なものかを判断する。恒久的な場合、前記選局制御部１０８に対し、接続先が変更されたこと及び接続先を通知する。前記選局制御部１０８は、前記インターネット通信手段から通知された情報に基づき、前記選局テーブル１０７の記録情報を変更する。具体的には、図２に記載の選局中の前記選局番号２０１の値に対応するＵＲＬ２１０の内容を変更する。
【００６２】
次に図８を用いて、本実施における通信状態を説明する。図８は、インターネットを用いたテレビ放送を選局する場合のシーケンスである。
【００６３】
まず、前記選局制御部１０８は選局先のサービスサイト−Ａに対し通信の接続３０１を行う。このとき、サービスサイトからリダイレクトコード３０２とリダイレクト先のＵＲＬが返された場合、前記選局制御部１０８は選局テーブル１０７のプリセットを変更する。そして、リダイレクト先であるサービスサイト−Ｂへ再接続３０３を行うことにより、サービスサイト−Ｂから放送受信３０４することが可能となる。
【００６４】
本実施例によれば、インターネットの接続先変更を自動的に検知し選局情報に反映させることにより、次回以降の選局動作を高速にすることが可能である。
【図面の簡単な説明】
【００６５】
【図１】本発明の実施例１の構成を示した説明図である。
【図２】本発明の実施例１の選局テーブルを示した説明図である。
【図３】本発明の実施例２の構成を示した説明図である。
【図４】本発明の実施例３の構成を示した説明図である。
【図５】本発明の実施例３の選局テーブルを示した説明図である。
【図６】本発明の実施例３の選局テーブルを示した説明図である。
【図７】本発明の実施例４の構成を示した説明図である。
【図８】本発明の実施例６の通信シーケンスを示した説明図である。
【符号の説明】
【００６６】
１００：放送受信機、１０１：放送波受信手段１０２： インターネット通信手段、１０３：セレクタ、１０４：映像、音声復号手段、１０５：ユーザ選局手段、１０６：ユーザ選局情報受信手段、１０７：選局テーブル、１０８：選局制御部、１０９：選局先通知手段、１１０：受信状態監視部、１１１：受信状態通知手段、２０１：選局番号、２０２：サービス種別、２０３：サービス名称、２０４：チャンネル、２０５：周波数チャンネル、２０６：ネットワーク識別（ｎｗ＿ｉｄ）、２０７：トランスポートストリーム識別（ｔｓ＿ｉｄ）、２０８：サービス識別（ｓｅｒｖｉｃｅ＿ｉｄ）、２０９：ブロードキャスト識別（ｂｒｏａｄｃａｓｔ＿ｉｄ）、２１０：ＵＲＬ、２１１：共通サービス参照情報、３０１：接続、３０２：リダイレクト、３０３：再接続、３０４：放送受信
【図１】
0005135943.tif 000002
【図２】
0005135943.tif 000003
【図３】
0005135943.tif 000004
【図４】
0005135943.tif 000005
【図５】
0005135943.tif 000006
【図６】
0005135943.tif 000007
【図７】
0005135943.tif 000008
【図８】
0005135943.tif 000009